(57)【要約】      （修正有）【課題】複数のアンテナから同時に送信される複数のデータストリームのリソース再使用度を計上する形で伝送フォーマットを選択する手法を提供する。【解決手段】各データストリームのリソース再使用度は、そのデータストリームによって観測されるリソース（例えば直交符号又はサブキャリア）の再使用量を示す。初期リソース割り当てに基づき複数のデータストリームの干渉推定が導き出される。その干渉推定に基づきリソース再使用度が判定され、リソース再使用度を用いて少なくとも１つの補正率が導き出される（４１０）。そして少なくとも１つの補正率を使用し、データストリームのため少なくとも１つの伝送フォーマットを選択する（４２０）。各データストリームには、データストリームに使用するリソースの量とその他のパラメータとを指示する伝送フォーマットに従ってリソースが割り当てられる（４３０）。【選択図】図４
2011142655.tif 000002
【特許請求の範囲】
【請求項１】
複数のアンテナから送信される複数のデータストリームのリソース再使用度に基づき少なくとも１つの補正率を判定するべく、且つ前記少なくとも１つの補正率を用いて前記複数のデータストリームのため少なくとも１つの伝送フォーマットを選択するべく構成された、少なくとも１つのプロセッサと、
前記少なくとも１つのプロセッサへ結合されたメモリと、
を備える、装置。
【請求項２】
前記少なくとも１つのプロセッサは、前記複数のデータストリームの干渉推定を導き出し、且つ前記干渉推定に基づき前記複数のデータストリームの前記リソース再使用度を判定する、請求項１に記載の装置。
【請求項３】
前記少なくとも１つのプロセッサは、前記複数のデータストリームのため少なくとも１つの初期チャネル品質指標（ＣＱＩ）値を入手し、前記少なくとも１つの初期ＣＱＩ値と前記少なくとも１つの補正率とに基づき少なくとも１つの修正ＣＱＩ値を導き出し、且つ前記少なくとも１つの修正ＣＱＩ値に基づき前記少なくとも１つの伝送フォーマットを選択する、請求項１に記載の装置。
【請求項４】
前記少なくとも１つの初期ＣＱＩ値は、前記複数のデータストリームのリソース再使用度をほぼ同等とする仮定に基づき導き出される、請求項３に記載の装置。
【請求項５】
前記少なくとも１つの初期ＣＱＩ値は、前記複数のデータストリームの各々のリソース再使用度を最高とする仮定に基づき導き出される、請求項３に記載の装置。
【請求項６】
前記少なくとも１つのプロセッサは、前記複数のデータストリームの各々につきリソース再使用度を判定し、前記データストリームの前記リソース再使用度に基づき各データストリームの補正率を判定し、且つ前記データストリームの前記補正率を用いて各データストリームの伝送フォーマットを選択する、請求項１に記載の装置。
【請求項７】
前記少なくとも１つのプロセッサは、前記データストリームの前記リソース再使用度に基づき前記複数のデータストリームのため単一の補正率を判定し、且つ前記単一の補正率を用いて前記複数のデータストリームのため単一の伝送フォーマットを選択する、請求項１に記載の装置。
【請求項８】
各データストリームには、前記データストリームに分配するべきリソースの量を指示する伝送フォーマットが関連づけられ、前記少なくとも１つのプロセッサは、前記データストリームの前記伝送フォーマットに従って使用可能リソースの中からリソースを各データストリームに割り当てる、請求項１に記載の装置。
【請求項９】
前記使用可能リソースは、直交符号である、請求項８に記載の装置。
【請求項１０】
前記使用可能リソースは、サブキャリアである、請求項８に記載の装置。
【請求項１１】
前記少なくとも１つのプロセッサは、初期リソース割り当てに基づき前記複数のデータストリームの前記リソース再使用度を判定し、前記少なくとも１つの伝送フォーマットに基づき新しいリソース割り当てを判定し、且つ前記新しいリソース割り当てが前記初期リソース割り当てと異なる場合には、前記リソース再使用度を判定することと、少なくとも１つの補正率を判定することと、少なくとも１つの伝送フォーマットを選択することとを繰り返し遂行する、請求項１に記載の装置。
【請求項１２】
複数のアンテナから送信される複数のデータストリームのリソース再使用度に基づき、少なくとも１つの補正率を判定することと、
前記少なくとも１つの補正率を用いて、前記複数のデータストリームのため少なくとも１つの伝送フォーマットを選択することと、
を備える、方法。
【請求項１３】
前記複数のデータストリームの干渉推定を導き出すことと、
前記干渉推定に基づき前記複数のデータストリームの前記リソース再使用度を判定することと、
をさらに備える、請求項１２に記載の方法。
【請求項１４】
前記少なくとも１つの伝送フォーマットを前記選択することは、
前記複数のデータストリームのため少なくとも１つの初期チャネル品質指標（ＣＱＩ）値を入手することと、
前記少なくとも１つの初期ＣＱＩ値と前記少なくとも１つの補正率とに基づき、少なくとも１つの修正ＣＱＩ値を導き出すことと、
前記少なくとも１つの修正ＣＱＩ値に基づき、前記少なくとも１つの伝送フォーマットを選択することと、
を備える、請求項１２に記載の方法。
【請求項１５】
初期リソース割り当てに基づき、前記複数のデータストリームの前記リソース再使用度を判定することと、
前記少なくとも１つの伝送フォーマットに基づき、新しいリソース割り当てを判定することと、
前記新しいリソース割り当てが前記初期リソース割り当てと異なる場合には、前記リソース再使用度を判定することと、前記少なくとも１つの補正率を判定することと、前記少なくとも１つの伝送フォーマットを選択することとを、繰り返し遂行することと、
をさらに備える、請求項１２に記載の方法。
【請求項１６】
複数のアンテナから送信される複数のデータストリームのリソース再使用度に基づき、少なくとも１つの補正率を判定する手段と、
前記少なくとも１つの補正率を用いて、前記複数のデータストリームのため少なくとも１つの伝送フォーマットを選択する手段と、
を備える、装置。
【請求項１７】
前記複数のデータストリームの干渉推定を導き出す手段と、
前記干渉推定に基づき前記複数のデータストリームの前記リソース再使用度を判定する手段と、
をさらに備える、請求項１６に記載の装置。
【請求項１８】
前記少なくとも１つの伝送フォーマットを選択する前記手段は、
前記複数のデータストリームのため少なくとも１つの初期チャネル品質指標（ＣＱＩ）値を入手する手段と、
前記少なくとも１つの初期ＣＱＩ値と前記少なくとも１つの補正率とに基づき、少なくとも１つの修正ＣＱＩ値を導き出す手段と、
前記少なくとも１つの修正ＣＱＩ値に基づき、前記少なくとも１つの伝送フォーマットを選択する手段と、
を備える、請求項１６に記載の装置。
【請求項１９】
初期リソース割り当てに基づき、前記複数のデータストリームの前記リソース再使用度を判定する手段と、
前記少なくとも１つの伝送フォーマットに基づき、新しいリソース割り当てを判定する手段と、
前記新しいリソース割り当てが前記初期リソース割り当てと異なる場合には、前記リソース再使用度を判定することと、前記少なくとも１つの補正率を判定することと、前記少なくとも１つの伝送フォーマットを選択することとを、繰り返し遂行する手段と、
をさらに備える、請求項１６に記載の装置。
【請求項２０】
プロセッサ読取り可能媒体であって、
複数のアンテナから送信される複数のデータストリームのリソース再使用度に基づき、少なくとも１つの補正率を判定するべく、且つ、
前記少なくとも１つの補正率を用いて、前記複数のデータストリームのため少なくとも１つの伝送フォーマットを選択するべく、作動できる命令を格納する、プロセッサ読取り可能媒体。
【請求項２１】
前記複数のデータストリームの干渉推定を導き出すべく、且つ、
前記干渉推定に基づき前記複数のデータストリームの前記リソース再使用度を判定するべく、作動できる命令をさらに格納する、請求項２０に記載のプロセッサ読取り可能媒体。
【請求項２２】
前記複数のデータストリームのため少なくとも１つの初期チャネル品質指標（ＣＱＩ）値を入手するべく、
前記少なくとも１つの初期ＣＱＩ値と前記少なくとも１つの補正率とに基づき、少なくとも１つの修正ＣＱＩ値を導き出すべく、且つ、
前記少なくとも１つの修正ＣＱＩ値に基づき、前記少なくとも１つの伝送フォーマットを選択するべく、作動できる命令をさらに格納する、請求項２０に記載のプロセッサ読取り可能媒体。
【請求項２３】
初期リソース割り当てに基づき前記複数のデータストリームの前記リソース再使用度を判定するべく、
前記少なくとも１つの伝送フォーマットに基づき新しいリソース割り当てを判定するべく、且つ、
前記新しいリソース割り当てが前記初期リソース割り当てと異なる場合には、前記リソース再使用度を判定することと、少なくとも１つの補正率を判定することと、少なくとも１つの伝送フォーマットを選択することとを、繰り返し遂行するべく、作動できる命令をさらに格納する、請求項２０に記載のプロセッサ読取り可能媒体。
【請求項２４】
初期リソース割り当てに基づき複数のデータストリームの干渉推定を導き出すべく、且つ前記干渉推定に基づき前記複数のデータストリームの少なくとも１つのパラメータを制御するべく構成された、少なくとも１つのプロセッサであって、前記複数のデータストリームは複数のアンテナから同時に送信され、且つ前記干渉推定はストリーム間干渉のものである、プロセッサと、
前記少なくとも１つのプロセッサへ結合されたメモリと、
を備える、装置。
【請求項２５】
前記少なくとも１つのプロセッサは、前記干渉推定に基づき、前記複数のデータストリームのため少なくとも１つの伝送フォーマットを選択する、請求項２４に記載の装置。
【請求項２６】
前記少なくとも１つのプロセッサは、前記干渉推定に基づき前記複数のデータストリームの送信電力を調整する、請求項２４に記載の装置。
【請求項２７】
前記少なくとも１つのプロセッサは、前記干渉推定に基づき前記複数のデータストリームのリソースを割り当てる、請求項２４に記載の装置。
【請求項２８】
前記少なくとも１つのプロセッサは、前記干渉推定に基づき前記複数のデータストリームの各々に少なくとも１つの直交符号からなる集合を割り当てる、請求項２４に記載の装置。
【請求項２９】
初期リソース割り当てに基づき複数のデータストリームの干渉推定を導き出すことであって、前記複数のデータストリームは複数のアンテナから同時に送信され、且つ前記干渉推定はストリーム間干渉のものであることと、
前記干渉推定に基づき、前記複数のデータストリームの少なくとも１つのパラメータを制御することと、
を備える、方法。
【請求項３０】
前記少なくとも１つのパラメータを前記制御することは、前記干渉推定に基づき前記複数のデータストリームのため少なくとも１つの伝送フォーマットを選択することを備える、請求項２９に記載の方法。
【請求項３１】
前記少なくとも１つのパラメータを前記制御することは、前記干渉推定に基づき前記複数のデータストリームの送信電力を調整することを備える、請求項２９に記載の方法。
【請求項３２】
前記少なくとも１つのパラメータを前記制御することは、前記干渉推定に基づき前記複数のデータストリームのリソースを割り当てることを備える、請求項２９に記載の方法。
【請求項３３】
初期リソース割り当てに基づき複数のデータストリームの干渉推定を導き出す手段であって、前記複数のデータストリームは複数のアンテナから同時に送信され、且つ前記干渉推定はストリーム間干渉のものである、手段と、
前記干渉推定に基づき、前記複数のデータストリームの少なくとも１つのパラメータを制御する手段と、
を備える、装置。
【請求項３４】
前記少なくとも１つのパラメータを制御する前記手段は、前記干渉推定に基づき前記複数のデータストリームのため少なくとも１つの伝送フォーマットを選択する手段を備える、請求項３３に記載の装置。
【請求項３５】
前記少なくとも１つのパラメータを制御する前記手段は、前記干渉推定に基づき前記複数のデータストリームの送信電力を調整する手段を備える、請求項３３に記載の装置。
【請求項３６】
前記少なくとも１つのパラメータを制御する前記手段は、前記干渉推定に基づき前記複数のデータストリームのリソースを割り当てる手段を備える、請求項３３に記載の装置。
【請求項３７】
初期リソース割り当てに基づき複数のデータストリームの干渉推定を導き出すべく、ここで前記複数のデータストリームは複数のアンテナから同時に送信され、且つ前記干渉推定はストリーム間干渉のものである、且つ、
前記干渉推定に基づき前記複数のデータストリームの少なくとも１つのパラメータを制御するべく、作動できる命令を格納する、プロセッサ読取り可能媒体。
【請求項３８】
前記干渉推定に基づき、前記複数のデータストリームのため少なくとも１つの伝送フォーマットを選択するべく作動できる命令をさらに格納する、請求項３７に記載のプロセッサ読取り可能媒体。
【請求項３９】
前記干渉推定に基づき前記複数のデータストリームの送信電力を調整するべく作動できる命令をさらに格納する、請求項３７に記載のプロセッサ読取り可能媒体。
【請求項４０】
前記干渉推定に基づき前記複数のデータストリームのリソースを割り当てるべく作動できる命令をさらに格納する、請求項３７に記載のプロセッサ読取り可能媒体。
【発明の詳細な説明】
【技術分野】
【０００１】
（米国特許法第１１９条に基づく優先権の主張）
本特許出願は、これの譲受人へ譲渡され、２００５年４月２８日に出願された仮出願第６０／６７６，１２３号、表題「適応レートＭＩＭＯマルチコードＣＤＭＡシステムにおける符号再使用依存型変調符号化方式選択（Code-Reuse Dependent Selection of Modulation Coding Scheme in Adaptive-Rate MIMO Multicode CDMA System）」に対し優先権を主張するものであり、ここで参照として明示的に組み込まれる。
【０００２】
本開示は、一般的には通信に、より具体的には無線通信システムで伝送フォーマットを選択する手法に関する。
【背景技術】
【０００３】
無線通信システムの送信器は通常、使用のため選択される伝送フォーマットに従ってトラフィックデータを処理し（例えば符号化し、変調し、チャネライズする）、出力チップを生成する。伝送フォーマットは、レート、変調符号化方式（ＭＣＳ）、パケットフォーマット、転送フォーマット、伝送モード等と呼ばれることもある。伝送フォーマットは、符号化方式、符号レート、変調方式、データブロックサイズ、符号チャネル又はサブキャリアの数等、伝送にあたって用いる様々なパラメータをユーザ示すことができる。そして送信器は出力チップを処理して変調信号を生成し、無線チャネルを介してこの信号を送信する。無線チャネルはチャネル応答にともない送信信号を歪ませ、ノイズと干渉にともない信号をさらに劣化させる。
【０００４】
受信器は送信信号を受信し、受信信号を処理することによりサンプルを得る。そして受信器は、選択された伝送フォーマットに従いサンプルを処理する（例えば、逆チャネライズし、復調し、復号化する）ことにより復号データを得る。受信器は、例えば送信器によって送信されるパイロットに基づき、受信信号品質を推定できる。送信器及び／又は受信器は、受信信号品質に基づき次の時間間隔に用いるしかるべき伝送フォーマットを選択できる。
【０００５】
伝送フォーマット選択とは、チャネルの状態やその他の関連要因に基づき伝送に用いる、しかるべき伝送フォーマットを選択することを指す。伝送フォーマット選択はシステム性能に大きく影響し、時間に沿って変動するシステムにとって難題である。複数の受信アンテナへのデータ伝送のため複数の送信アンテナを使用する多重入出力（ＭＩＭＯ）システムにおいては、伝送フォーマット選択がなおさら難題である。複数の送信アンテナからの伝送は互いに干渉するため、受信信号品質を正確に推定し、使用すべき適切な伝送フォーマットを選択することは、より困難になる。
【０００６】
したがって、当技術分野においては、ＭＩＭＯシステムで伝送フォーマットを効率的に選択するための手法が求められている。
【発明の概要】
【０００７】
本明細書では、複数の送信アンテナから送信されるデータストリームによって観測されるリソース再使用の度合いを計上する形で、伝送フォーマットを選択する手法を説明する。各データストリームのリソース再使用度は、そのストリームによって観測されるリソースの再使用量を示す。これらの手法はより正確な伝送フォーマット選択を提供でき、したがって無線チャネルのキャパシティ近くでデータストリームを送信できる。
【０００８】
本発明の一実施形態に従い、少なくとも１つのプロセッサとメモリとを含む装置を説明する。プロセッサは、複数のアンテナから送信される複数のデータストリームのリソース再使用度に基づき、少なくとも１つの補正率を判定する。プロセッサは、少なくとも１つの補正率を用いて、複数のデータストリームのため少なくとも１つの伝送フォーマットを選択する。
【０００９】
別の実施形態に従い、複数のアンテナから送信される複数のデータストリームのリソース再使用度に基づき、少なくとも１つの補正率が判定される方法を提示する。少なくとも１つの補正率を用いて、複数のデータストリームのため少なくとも１つの伝送フォーマットが選択される。
【００１０】
さらに別の実施形態に従い、複数のアンテナから送信される複数のデータストリームのリソース再使用度に基づき、少なくとも１つの補正率を判定する手段と、少なくとも１つの補正率を用いて、複数のデータストリームのため少なくとも１つの伝送フォーマットを選択する手段と、を含む装置を説明する。
【００１１】
さらに別の実施形態に従い、少なくとも１つのプロセッサとメモリとを含む装置を説明する。プロセッサは、初期リソース割り当てに基づき複数のデータストリームの干渉推定を導き出す。複数のアンテナからは複数のデータストリームが同時に送信され、干渉推定はストリーム間干渉のものである。プロセッサは、干渉推定に基づき複数のデータストリームの少なくとも１つのパラメータを制御する。少なくとも１つのパラメータは、伝送フォーマット、送信電力、リソース割り当て等に関係することがある。
【００１２】
さらに別の実施形態に従い、初期リソース割り当てに基づき複数のデータストリームの干渉推定が導き出される方法を提示する。複数のデータストリームの少なくとも１つのパラメータは、干渉推定に基づき制御される。
【００１３】
さらに別の実施形態に従い、初期リソース割り当てに基づき複数のデータストリームの干渉推定を導き出す手段と、干渉推定に基づき複数のデータストリームの少なくとも１つのパラメータを制御する手段と、を含む装置を説明する。
【００１４】
これより本発明の様々な態様及び実施形態をさらに詳しく説明する。
【図面の簡単な説明】
【００１５】
【図１】ＳＩＳＯ  ＣＤＭＡシステムにおけるノードＢとＵＥのブロック図を示す。
【図２】ＭＩＭＯ  ＣＤＭＡシステムにおけるノードＢとＵＥのブロック図を示す。
【図３】伝送フォーマット選択器のブロック図を示す。
【図４】ＭＩＭＯシステムで伝送フォーマットを選択するプロセスを示す。
【図５】ＭＩＭＯシステムで伝送フォーマットを選択するプロセスを示す。
【図６】ＭＩＭＯシステムでデータを送信するプロセスを示す。
【図７】ＭＩＭＯシステムで基地局と端末のブロック図を示す。
【発明を実施するための形態】
【００１６】
用語「例示的」は、本明細書において「例、事例、又は例証として役立つ」ことを意味するために使われている。本明細書で「例示的」なものとして説明する実施形態は、必ずしも他の実施形態より好ましいもの、又は有利なもの、と解釈されるべきものではない。
【００１７】
本明細書で説明する伝送フォーマット選択手法は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、単一キャリアＦＤＭＡ（ＳＣ−ＦＤＭＡ）システム等、様々な無線通信システムに用いることができる。ＣＤＭＡシステムは符号分割多重化法（ＣＤＭ）を利用し、ワイドバンドＣＤＭＡ（Ｗ−ＣＤＭＡ）、ｃｄｍａ２０００等の無線技術を実装できる。ＯＦＤＭＡシステムは直交周波数分割多重化法（ＯＦＤＭ）を利用する。ＳＣ−ＦＤＭＡシステムは単一キャリア周波数分割多重化法（ＳＣ−ＦＤＭ）を利用する。ＯＦＤＭとＳＣ−ＦＤＭは全システム帯域幅を、トーン、ビン等とも呼ばれる複数の直交サブキャリアに仕切る。一般的に変調シンボルは、ＯＦＤＭなら周波数領域で、ＳＣ−ＦＤＭなら時間領域で、送信される。
【００１８】
ＣＤＭＡ、ＯＦＤＭＡ、及びＳＣ−ＦＤＭＡは、送信に先駆け異なるユーザ及び／又はストリームのためデータを多重化するため、ＣＤＭ、ＯＦＤＭ、及びＳＣ−ＦＤＭをそれぞ利用する、異なる多重アクセス方式である。ＣＤＭＡは様々な直交符号によりデータをチャネライズし、符号領域にて直交性を達成する。ＯＦＤＭＡ／ＳＣ−ＦＤＭＡは異なるサブキャリア上でデータを送信し、周波数領域にて直交性を達成する。
【００１９】
伝送に使える総リソースは、システムで使用する多重化方式に応じて、様々なシステムで様々なパラメータにより定量化できる。例えば、ＣＤＭＡシステムにおける総使用可能リソースは、直交符号の数と総送信電力とによって定量化できる。ＯＦＤＭＡ又はＳＣ−ＦＤＭＡシステムにおける総使用可能リソースは、サブキャリアの数と総送信電力とによって定量化できる。システムは通常、性能を極大化するため総使用可能リソースをできるだけ多く利用しようとする。一般的に、チャネル品質の改善にともない、より多くの符号又はサブキャリアリソースを用いてデータスループットを向上させることができる。
【００２０】
単一入出力（ＳＩＳＯ）システムは、ひとつの受信アンテナへのデータ送信のためひとつの送信アンテナを使用する。ＳＩＳＯシステムは、総使用可能リソースの全部又は一部を利用することによって伝送を制御できる。直交符号及びサブキャリアは互いに直交であるから、使用可能な直交符号及びサブキャリアの全てを、それらの間に干渉をほとんどともなわず、使用できる。
【００２１】
ＭＩＭＯシステムは、複数の（Ｒ個の）受信アンテナへのデータ伝送のため複数の（Ｔ個の）送信アンテナを使用する。Ｔ個の送信アンテナとＲ個の受信アンテナとによって形成されるＭＩＭＯチャネルはＳ個の空間チャネルに分解でき、ここでＳ≦ｍｉｎ｛Ｔ，Ｒ｝である。ＭＩＭＯシステムは、直交符号及びサブキャリアに対し直交であるもうひとつのリソース次元（空間次元）を有する。それ故、Ｔ個の送信アンテナから複数の（例えばＳ個の）データストリームを同時に送信でき、ここで各々のデータストリームは、ＳＩＳＯシステムにおけるデータストリームと同様に送信できる。とりわけ、使用可能な直交符号又はサブキャリアの全てを、同時に送信されるデータストリームの各々に使用できる。
【００２２】
Ｔ個の送信アンテナから送信されるデータストリームは互いに干渉する。受信器は、これらのデータストリームの分離を試みるためＭＩＭＯ検出を遂行できる。ＭＩＭＯ検出は通常、データストリームを完全には分離できず、各々のデータストリームは他のデータストリームからある程度の干渉を観測する。このストリーム間干渉は、直交符号又はサブキャリアの互いに素な集合をそれぞれのデータストリームに用いることによって回避でき、さもなくば大幅に抑えることができる。例えば、Ｔ個の送信アンテナからＴ個の異なる直交符号を用いて（又はＴ個の異なるサブキャリア上で）Ｔ個のデータストリームを送信でき、Ｔ個のデータストリームは受信器にて互いにごくわずかにしか干渉しない。ただし、各直交符号の、又は各サブキャリアの使用を、１つのデータストリームに限定すると、システムキャパシティが大幅に低下するおそれがある。
【００２３】
リソース再使用とは、同時に送信される複数のデータストリームに所与のリソース（例えば直交符号又はサブキャリア）を使用することを指す。例えば、あるひとつのデータストリームに所与の直交符号を使用でき、その後１つ以上のさらなるデータストリームに再使用できる。ストリーム間干渉を抑えるには、データストリームへの総使用可能リソースの分配にあたって、各リソース（例えば直交符号又はサブキャリア）が分配されるデータストリームができるだけ少なくなるようにする。リソース再使用度は、所与のリソースが使用され再使用される程度を示す。リソース再使用度は、再使用率、又は他の何らかの用語で呼ばれることもあり、整数又は非整数値によって表すことができる。再使用率は、各々のデータストリームが総使用可能リソースのうち少量を必要とする場合には低くてよく、各々のデータストリームが総使用可能リソースより多くの量を必要とする場合には高くてよい。
【００２４】
一態様においては、データストリームによって観測されるリソース再使用の度合いを計上する形で伝送フォーマット選択が遂行される。受信器における信号品質は、ストリーム間干渉のためリソース再使用度によって左右される。信号品質は、あるひとつの再使用率を用いて送信されるパイロットに基づき推定でき、データは、別の再使用率を用いて送信できる。よって、信号品質推定は、データストリームによって観測される実際の信号品質に一致しないことがある。本明細書で説明する手法は、データストリームにとって相応しい伝送フォーマットを選択するにあたって、推定信号品質と実信号品質との差異を計上する。
【００２５】
本明細書で説明する手法は、ＣＤＭＡ、ＯＦＤＭＡ、ＳＣ−ＦＤＭＡ、及びＭＩＭＯを使用する他のシステムに用いることができる。明瞭を図るため、これ以降はＭＩＭＯ  ＣＤＭＡシステムについて手法を具体的に説明し、同システムにおいては直交符号が再使用されるリソースにあたる。ＭＩＭＯ  ＣＤＭＡシステムは、Ｗ−ＣＤＭＡ又はｃｄｍａ２０００を実装できる。直交符号は、Ｗ−ＣＤＭＡでは直交可変拡散因子（ＯＶＳＦ）符号と呼ばれ、ｃｄｍａ２０００ではウオルシュ符号と呼ばれる。Ｗ−ＣＤＭＡは、１〜１５本の高速物理ダウンリンク共有チャネル（ＨＳ−ＰＤＳＣＨ）でのデータ伝送を可能にする、高速ダウンリンクパケットアクセス（ＨＳＤＰＡ）をサポートする。各々のＨＳ−ＰＤＳＣＨには別々の１６チップＯＶＳＦ符号が使われる。ｃｄｍａ２０００は、別々のユーザをターゲットとし得る１又は２本の順方向パケットデータチャネル（Ｆ−ＰＤＣＨ）で、高速パケットデータ伝送をサポートする。各々のＦ−ＰＤＣＨには、１つ以上（２８個まで）の３２チップウオルシュ符号からなる別々のグループを使用できる。これらの符号の拡散因子は固定されているため、一般に使用する直交符号が多いほどより多くのデータを送信できる。
【００２６】
明瞭を図るため、これ以降は３ＧＰＰにおけるＨＳＤＰＡのダウンリンク伝送について手法を具体的に説明する。よって、以降の説明の大部分で３ＧＰＰ用語が使われている。まずはＳＩＳＯ  ＣＤＭＡシステムにおけるデータ伝送を説明し、その後にＭＩＭＯ  ＣＤＭＡシステムにおけるデータ伝送が続く。
【００２７】
図１は、ＳＩＳＯ  ＣＤＭＡシステム１００におけるノードＢ１１０とユーザ装置（ＵＥ）１５０のブロック図を示す。ノードＢは、基地局、アクセスポイント等と呼ばれることもある。ＵＥは、移動局（ＭＳ）、ユーザ端末、無線デバイス等と呼ばれることもある。
【００２８】
ノードＢ１１０側の送信（ＴＸ）データプロセッサ１２０は、選択されたＭＣＳに従ってトラフィックデータを処理し（例えば符号化し、インターリーブし、シンボルマップする）、データシンボルを生成する。選択されたＭＣＳは、特定のデータブロックサイズ、特定の符号レート、特定の変調方式、及び／又は伝送に用いるその他のパラメータを指示できる。一般的に、データシンボルはデータの変調シンボルであり、パイロットシンボルはパイロットの変調シンボルであり、変調シンボルは（例えばＰＳＫ又はＱＡＭの）信号コンステレーションにおける１点の複素数値であり、シンボルは複素数値である。パイロットは、送信器と受信器の双方にとって既知のデータ／伝送である。ＣＤＭＡ変調器１３０は、データチップを生成するため１つ以上のＨＳ−ＰＤＳＣＨに１つ以上のＯＶＳＦ符号を使用しデータシンボルをチャネライズ（又は拡散）し、さらにパイロットチップを生成するためパイロットＯＶＳＦ符号を使用しパイロットシンボルをチャネライズする。そして変調器１３０はデータ及びパイロットチップを合計し、合計したチップをスクランブルすることによって出力チップを生成する。送信器（ＴＭＴＲ）１３４は出力チップを処理し（例えばアナログに変換し、増幅し、フィルタし、周波数アップコンバートする）、ダウンリンク信号を生成し、同ダウンリンク信号はアンテナ１３６を介して送信される。
【００２９】
ＵＥ１５０側のアンテナ１５２はノードＢ１１０からダウンリンク信号を受信し、受信信号を受信器（ＲＣＶＲ）１５４に提供する。受信器１５４は受信信号を調節し（例えばフィルタし、増幅し、周波数ダウンコンバートし、デジタル化する）、受信サンプルを提供する。ＣＤＭＡ復調器（Ｄｅｍｏｄ）１６０は受信サンプルを逆スクランブルし、逆スクランブルされたサンプルをノードＢ１１０で使われたＯＶＳＦ符号を用いて逆チャネライズ（又は逆拡散）し、データシンボル推定を提供する。受信（ＲＸ）データプロセッサ１７０は選択されたＭＣＳに従ってデータシンボル推定を処理し（例えばシンボル逆マップし、逆インターリーブし、復号化する）、復号化されたデータを提供する。一般的に、ＵＥ１５０における処理はノードＢ１１０における処理と相補的である。
【００３０】
伝送フォーマット選択のため、ＵＥ１５０側のチャネル推定器／プロセッサ１８０はパイロットの受信サンプルを処理し、ＵＥ１５０における受信信号品質を伝えるチャネル品質指標（ＣＱＩ）値を提供する。ＵＥ１５０はＣＱＩ値をノードＢ１１０へ送り返す。ノードＢ１１０では、伝送フォーマット選択器１４０が報告ＣＱＩ値を受信し、ＵＥ１５０への送信に用いる伝送フォーマットを選択する。ＨＳＤＰＡの場合、選択された伝送フォーマットは、送信に用いるＨＳ−ＰＤＳＣＨ数ばかりでなくＭＣＳを指示する。ＣＱＩマッピングテーブル１４２は、システムによってサポートされる１組の伝送フォーマットと、ＣＱＩ値と伝送フォーマットとのマッピングとを格納する。
【００３１】
ＳＩＳＯ  ＣＤＭＡシステムでは様々な様態で伝送フォーマット選択を遂行できる。明瞭を図るため、これ以降は伝送フォーマット選択の具体的実施形態を説明する。この実施形態において、ＵＥ１５０は、受信パイロット電力と総受信電力とを測定することによって、受信パイロットの信号対雑音比（ＳＮＲ）を推定する。そしてＵＥ１５０は、送信に使われる全ＨＳ−ＰＤＳＣＨ上で受信データのＳＮＲを推定し、次のとおりに報告ＣＱＩ値を導き出し、
【数１】
2011142655.tif 000003
【００３２】
ここでＥｃｐ／Ｎｔは、パイロットのチップ当たりのＳＮＲであるパイロット−チップＳＮＲであり、
Ｅｃｔ／Ｅｃｐは、上位層信号伝達によって与えられるトラフィック対パイロット電力比であり、
ＳＦは、１０ｌｏｇ（１６）に等しいＨＳ−ＰＤＳＣＨの拡散利得であり、
ＵＥ＿ｏｆｆｓｅｔは、ＵＥ固有設計パラメータである。
【００３３】
等式（１）の中で、数量はいずれもデシベル（ｄＢ）単位で与えられる。
【００３４】
Ｅｃｐはパイロットのチップ当たりのエネルギーを表し、Ｅｃｔはトラフィックデータのチップ当たりのエネルギーを表し、Ｎｔは総ノイズ及び干渉を表す。ＥｃｐとＥｃｔで、下付き文字「ｃ」はチップを表し、下付き文字「ｔ」はトラフィックを表し、下付き文字「ｐ」はパイロットを表す。
【００３５】
パイロット−チップＳＮＲは、対象となる全信号路についてパイロットの受信サンプルを処理することによって導き出すことができる。ＳＦは、ＨＳ−ＰＤＳＣＨに使用する１６チップＯＶＳＦ符号の拡散利得を計上する。Ｅｃｔ／Ｅｃｐは、パイロットに用いる送信電力に対するトラフィックデータに用いる送信電力を計上する。ＵＥ＿ｏｆｆｓｅｔは、ＵＥにおける実装損失及び／又はその他の要因を計上する補正率である。一般的に、ＣＱＩ値は、受信器アーキテクチャ（例えばレーキ受信器又はイコライザ主体受信器）、ＳＮＲ計算に利用できるサンプル統計、その他に応じ、様々な方法で導き出すことができる。
【００３６】
ノードＢ１１０は報告ＣＱＩ値を受信し、伝送フォーマットを選択する。ノードＢ１１０は、報告ＣＱＩ値に基づき、次のとおりに修正ＣＱＩ値を導き出すことができ、
【数２】
2011142655.tif 000004
【００３７】
ここでＰｏｗｅｒ＿ｏｆｆｓｅｔは、ＨＳ−ＰＤＳＣＨの電力オフセットであり、
Ｎｏｄｅ＿Ｂ＿ｏｆｆｓｅｔは、ノードＢ固有設計パラメータである。
【００３８】
等式（２）の中で、数量はいずれもｄＢ単位で与えられる。
【００３９】
Ｐｏｗｅｒ＿ｏｆｆｓｅｔは、送信Ｅｃｔ／Ｅｃｐと信号伝達Ｅｃｔ／Ｅｃｐとの考えられる差を計上し、次のとおりに表すことができる。
【数３】
2011142655.tif 000005
【００４０】
送信Ｅｃｔ／Ｅｃｐと信号伝達Ｅｃｔ／Ｅｃｐとの差は、ノードＢ１１０における送信電力不足及び／又はその他の要因に起因する。
【００４１】
Ｎｏｄｅ＿Ｂ＿ｏｆｆｓｅｔは、ＵＥ１５０からの報告ＣＱＩ値と実ＳＮＲとのチャネル依存差異を計上する。目標性能水準を達成するため、Ｎｏｄｅ＿Ｂ＿ｏｆｆｓｅｔは閉ループ機構を通じて調整できる。例えば、ノードＢ１１０によって送信されるパケットについてＵＥ１５０から受信するＡＣＫ／ＮＡＣＫ報告に基づき、Ｎｏｄｅ＿Ｂ＿ｏｆｆｓｅｔを調整することにより、１％又は他の何らかの値の目標パケットエラー率（ＰＥＲ）を達成できる。Ｎｏｄｅ＿Ｂ＿ｏｆｆｓｅｔは、各ＮＡＣＫ報告につきΔｄｎずつ減らすことができ、各ＡＣＫ報告につきΔｕｐずつ増やすことができ、ここでΔｕｐ＝Δｄｎ・ＰＥＲ／（１−ＰＥＲ）である。
【００４２】
ノードＢ１１０は、等式（２）に示すとおり報告ＣＱＩ値に基づき、又はほかの方法で、修正ＣＱＩ値を導き出すことができる。ノードＢ１１０はまた、報告ＣＱＩ値を無視でき、ノードＢが適当とみなす何らかの方法でＣＱＩ値を導き出すことができる。一般的に、ノードＢ１１０は、報告ＣＱＩ値、送信すべきデータの量、ＱｏＳ要求、使用可能送信電力等、様々な要因に基づいて伝送フォーマットを選択できる。
【００４３】
表１は、ＣＱＩ値を推奨伝送フォーマットにマップする例示的なＣＱＩマッピングテーブルを示す。ＣＱＩマッピングテーブルを参照のため提供でき、ＵＥ１５０はこれを用いてＵＥ＿ｏｆｆｓｅｔを計算できる。報告ＣＱＩ値は、ＵＥ１５０における信号品質で、ノードＢ１１０がＡＷＧＮチャネルにて関連伝送フォーマットを用いて送信する場合に、１０％以下のブロックエラー率（ＢＬＥＲ）が達成されることを指示する。
【表１】
2011142655.tif 000006
【００４４】
表１は例示的ＣＱＩマッピングテーブルを示すものである。これ以外のＣＱＩマッピングテーブルを使用のため定義することもできる。所与のＣＱＩマッピングテーブルで、データレート、変調次数、そしてＯＶＳＦ符号数は、概してＣＱＩ値が大きいほど増加する。
【００４５】
ノードＢ１１０はＨＳＤＰＡにおいて１５個のＨＳ−ＰＤＳＣＨに対し１５個のＯＶＳＦ符号を有する。ノードＢ１１０によって選択される伝送フォーマットは、ＵＥ１５０への送信に用いる特定のＨＳ−ＰＤＳＣＨ数を指示する。ＵＥ１５０のために使用するＨＳ−ＰＤＳＣＨが１５に満たない場合（表１で１〜２６のＣＱＩ値の場合）、ノードＢ１１０は、残りのＨＳ−ＰＤＳＣＨをほかのＵＥに分配する場合とそうでない場合とがある。
【００４６】
図２は、ＭＩＭＯ  ＣＤＭＡシステム２００におけるノードＢ２１０とＵＥ２５０のブロック図を示す。ノードＢ２１０は複数の（Ｔ個の）送信アンテナ２３６ａ〜２３６ｔを装備し、ＵＥ２５０は複数の（Ｒ個の）受信アンテナ２５２ａ〜２５２ｒを装備する。簡潔を図るため、以降の説明ではＴ≦Ｒの最高ランクＭＩＭＯチャネルを仮定する。一般的に、データはＭＩＭＯを用いて様々な方法で送信できる。簡潔を図るため、以降の説明の大部分はアンテナ単位レート制御（ＰＡＲＣ）実施形態のものであり、同実施形態においては、Ｔ個の送信アンテナから同時にＴ個までのデータストリームを送信でき、各データストリームにつき伝送フォーマットを選択できる。
【００４７】
ノードＢ２１０は、Ｓ個のデータストリームのため、Ｓ個のＴＸデータプロセッサ２２０ａ〜２２０ｓとＳ個のＣＤＭＡ変調器２３０ａ〜２３０ｓとを含み、ここでＳ≦Ｔであり、さらにＴＸ  ＭＩＭＯプロセッサ２３２と、Ｔ個の送信アンテナのためのＴ個の送信器２３４ａ〜２３４ｔとを含む。伝送フォーマット選択器２４０は、各データストリームにつき伝送フォーマットを選択し、１つ以上のＯＶＳＦ符号を各データストリームに割り当て、選択されたＭＣＳと各ストリームのＯＶＳＦ符号とを提供する。ＴＸデータプロセッサ２２０は、各データストリームにつき、選択されたＭＣＳに従いトラフィックデータを処理し、データシンボルを生成する。ＣＤＭＡ変調器２３０は、割り当てられたＯＶＳＦ符号を用いてデータシンボルをチャネライズすることによってデータチップを生成し、パイロットＯＶＳＦ符号を用いてパイロットシンボルをチャネライズすることによってパイロットチップを生成し、データ及びパイロットチップを合計しスクランブルすることによって出力チップを生成する。
【００４８】
ＴＸ  ＭＩＭＯプロセッサ２３２は、ＣＤＭＡ変調器２３０ａ〜２３０ｓからのＳ個の出力チップストリームに対し送信器空間処理を遂行し、Ｔ個の送信器２３４ａ〜２３４ｔへＴ個の送信チップストリームを提供する。一実施形態においてはＳ＝Ｔであり、ＴＸ  ＭＩＭＯプロセッサ２３２は単純に、各出力チップストリームをそれぞれの送信器２３４へ提供する。別の実施形態において、ＴＸ  ＭＩＭＯプロセッサ２３２は、複数の（例えば全Ｔ個の）送信アンテナから各出力チップストリームを送信するため、正規直交行列、プリコーディング行列、又は他の何らかの行列を用いて、Ｓ個の出力チップストリームを倍増させる。いずれにせよ、各送信器２３４はそれぞれの送信チップストリームを処理し、ダウンリンク信号を生成する。送信器２３４ａ〜２３４ｔによって生成されたＴ個のダウンリンク信号は、それぞれアンテナ２３６ａ〜２３６ｔを通じて送信される。
【００４９】
ＵＥ２５０は、Ｒ個の受信アンテナのためのＲ個の受信器２５４ａ〜２５４ｒと、ＭＩＭＯ検出器２５６とを含み、さらにＳ個のデータストリームのためのＳ個のＣＤＭＡ復調器２６０ａ〜２６０ｓと、Ｓ個のＲＸデータプロセッサ２７０ａ〜２７０ｓとを含む。Ｒ個のアンテナ２５２ａ〜２５２ｒはノードＢ２１０からダウンリンク信号を受信し、Ｒ個の受信信号をそれぞれ受信器２５４ａ〜２５４ｒへ提供する。各受信器２５４はこれの受信信号を調節し、受信サンプルを提供する。ＭＩＭＯ検出器２５６は全Ｒ個の受信器２５４から受信サンプルを入手し、受信サンプルに対しＭＩＭＯ検出を遂行することによってＳ個のデータストリームを分離し、Ｓ個のストリームの検出サンプルを提供する。ＣＤＭＡ復調器２６０は、各データストリームにつき、ストリームの検出サンプルを逆スクランブルし、そのストリームに使われたＯＶＳＦ符号を用いて逆スクランブルサンプルを逆チャネライズし、データシンボル推定を提供する。ＲＸデータプロセッサ１７０は選択されたＭＣＳに従いデータシンボル推定を処理し、ストリームの復号化データを提供する。
【００５０】
伝送フォーマット選択のため、ＵＥ２５０側のチャネル推定器／プロセッサ２８０はパイロットの受信サンプルを処理し、Ｓ個のデータストリームのＣＱＩ値を提供する。ＵＥ２５０はＣＱＩ値をノードＢ２１０へ送り返す。ノードＢ２１０では伝送フォーマット選択器２４０が報告ＣＱＩ値を受信し、後述するとおり、各データストリームの伝送フォーマットを選択する。ＣＱＩマッピングテーブル２４２は、サポートされた伝送フォーマットと、ＣＱＩ値と伝送フォーマットとのマッピングとを格納する。
【００５１】
ノードＢ２１０は、ＵＥ２５０がＭＩＭＯチャネルの特性をつかめるようパイロットを送信でき、Ｓ個のデータストリームにつきＳ個のＣＱＩ値を生成する。一実施形態において、ノードＢ２１０はＴ個のパイロットＯＶＳＦ符号を用いてＴ個の直交パイロットを生成し、これらＴ個の直交パイロットをＴ個の送信アンテナから送信する。別の実施形態において、ノードＢ２１０は、Ｓ個のパイロットＯＶＳＦ符号とともにＳ個の直交パイロットを生成し、送信器空間処理に先駆け、チャネライズされたトラフィックデータとともにこれらの直交パイロットを多重化する（例えば組み合わせる）。一般的にＵＥ２５０は、ノードＢ２１０によってパイロットが送信される様態と、ノードＢ２１０によって遂行される送信器空間処理と（これが遂行される場合）、ＵＥ２５０によって遂行されるＭＩＭＯ検出とに応じて、様々な方法でＳＮＲ推定を導き出すことができる。
【００５２】
以降の説明では、ノードＢ２１０がＴ個の送信アンテナからＴ個の直交パイロットを送信すると仮定する。ＵＥ２５０は、受信パイロットに基づき各送信アンテナのパイロット−チップＳＮＲを推定できる。そしてＵＥ２５０は、このパイロット−チップＳＮＲに基づきデータストリームごとのトラフィック−シンボルＳＮＲを判定でき、次にこのトラフィック−シンボルＳＮＲに基づき各データストリームのＣＱＩ値を導き出すことができる。
【００５３】
各々のチップ期間ｋにＵＥ２５０にて受信するサンプルは次のとおりに表すことができ、
【数４】
2011142655.tif 000007
【数５】
2011142655.tif 000008
【００５４】
ＵＥ２５０は、ｉ＝１，．．．，Ｔの場合に、各送信アンテナｉにつきチャネル応答ベクトルｈｉ（ｋ）を次のとおりに推定できる。ＵＥ２５０はまず、送信アンテナｉのパイロットＯＶＳＦ符号ｐｉ（ｋ）により、異なるチップ期間中の受信サンプルベクトルｙ（ｋ）を逆拡散する。次にＵＥ２５０は、パイロットＯＶＳＦ符号長にわたって逆拡散ベクトルを蓄積し、他のＯＶＳＦ符号とともに送信されたデータ、信号伝達、及びパイロットを除いたパイロット推定ｈ’ｉを得る。ＵＥ２５０は、ｈｉの推定を得るため、複数のパイロットシンボル期間にわたって、パイロット推定をフィルタ又は平均できる。ＭＩＭＯチャネル応答を正確に推定するため、パイロットＯＶＳＦ符号長は、データと信号伝達に使われる全ＯＶＳＦ符号の整数倍である。３ＧＰＰの場合、パイロットＯＶＳＦ符号長は２５６チップであり、ＨＳ−ＰＤＳＣＨ  ＯＶＳＦ符号長は１６チップである。簡潔を図るため、以降の説明ではチャネル推定誤差がないと仮定する。
【００５５】
ＵＥ２５０はまた、Ｒ×Ｒバックグラウンドノイズ共分散行列Ｒｎｎを次のとおりに推定できる。ＵＥ２５０はまず、各パイロットシンボル期間における受信サンプルベクトルｙ（ｋ）を逆拡散し、蓄積することによって、ノイジーなパイロットベクトルを得る。次にＵＥ２５０は、全Ｔ個の送信アンテナのパイロット推定をノイジーパイロットベクトルから引くことによって、ノイズベクトルを得る。ＵＥ２５０はノイズベクトルの外積を計算し、複数のパイロットシンボル期間にわたって外積の平均をとることによって、Ｒｎｎの推定を得ることができる。あるいは、バックグラウンドノイズが時空間的にホワイトであると仮定でき、したがってＲｎｎ＝σ２ｎ・Ｉであり、ここでσ２ｎはノイズ分散であり、Ｉは恒等行列である。このノイズ分散は、総受信エネルギーの推定と、信号及び干渉エネルギーの推定とに基づき推定できる。
【００５６】
ＵＥ２５０は、いずれも当技術分野において公知である線形最小平均二乗誤差（ＭＭＥ）手法、ゼロ強制（ＺＦ）手法、ＭＲＣ手法、連続干渉除去（ＳＩＣ）手法等、様々な手法に基づきＭＩＭＯ検出（又は等化）を遂行できる。明瞭を図るため、以降の説明ではＵＥ２５０が線形ＭＭＳＥ手法を使用すると仮定する。
【００５７】
ＵＥ２５０は、線形ＭＭＳＥ手法に基づき空間フィルタ行列を次のとおりに導き出すことができ、
【数６】
2011142655.tif 000009
【００５８】
ここで、Ｍ（ｋ）はＴ×Ｒ空間フィルタ行列であり、
【数７】
2011142655.tif 000010
【００５９】
であり、
ＵＥ２５０は受信サンプルに対し次のとおりに検出を遂行でき、
【数８】
2011142655.tif 000011
【００６０】
ここで、
【数９】
2011142655.tif 000012
【００６１】
は、検出サンプルのＴ×１ベクトルであり、
【数１０】
2011142655.tif 000013
【００６２】
は、線形ＭＭＳＥ検出後のノイズである。
【００６３】
各データストリームｉの線形ＭＭＳＥ検出からの検出サンプルのＳＮＲは、次のとおりに表すことができ、
【数１１】
2011142655.tif 000014
【００６４】
ここで、ΨｉはデータストリームｉのＲ×Ｒ干渉／ノイズ共分散行列であり、
（Ｅｃｔ）ｉはデータストリームｉで送信されるトラフィックデータの総チップエネルギーであり、
（Ｅｃｔ／Ｎｔ）ｉはデータストリームｉのトラフィック−チップＳＮＲであり、
ｈｉはデータストリームｉの平均チャネル応答推定である。
【００６５】
各データストリームｉの干渉／ノイズ共分散行列は次のとおりに表すことができる。
【数１２】
2011142655.tif 000015
【００６６】
式（８）で、Ｒｎｎはバックグラウンドノイズを表し、総和項は他のデータストリームからのストリーム間干渉を表す。
【００６７】
データストリームｉで送信されるトラフィックデータの総チップエネルギーは次のとおりに表すことができ、
【数１３】
2011142655.tif 000016
【００６８】
ここで、（Ｅｃｐ）ｉはパイロットのチップエネルギーであり、
（Ｅｃｔ／Ｅｃｐ）ｉはデータストリームｉのトラフィック対パイロット電力比である。
【００６９】
一般的に、Ｓ個のデータストリームに対し同じ、又は異なる、トラフィック対パイロット電力比を使用できる。トラフィック対パイロット電力比やその他の関係情報は、例えば半静的パラメータとして、ＵＥ２５０へ伝達できる。
【００７０】
ＵＥ２５０は各データストリームｉのＣＱＩ値を次のとおりに導き出すことができる。
【数１４】
2011142655.tif 000017
【００７１】
各データストリームｉの報告ＣＱＩ値は、データストリームｉに使われる全ＨＳ−ＰＤＳＣＨで合計した総トラフィック−シンボルＳＮＲを表す。一般的にＣＱＩ値は、ＵＥ２５０で使用するＭＩＭＯ検出手法、ＳＮＲ計算に利用できるサンプル統計、その他に応じ様々な方法で導き出すことができる。
【００７２】
ＵＥ２５０は、Ｓ個のデータストリームにつきＳ個の報告ＣＱＩ値をノードＢ２１０へ送信できる。そしてノードＢ２１０は、上述したとおり報告ＣＱＩ値に基づきＳ個の修正ＣＱＩ値を導き出すことができる。ノードＢ２１０は、同じく上述したとおり、各データストリームの伝送フォーマットを、そのデータストリームの修正ＣＱＩ値に基づき選択できる。表１に示すとおり、異なる伝送フォーマットごとに１〜１５の範囲から異なる数のＯＶＳＦ符号を使用できる。
【００７３】
一般的に、Ｓ個のデータストリームに対し同じ、又は異なる、ＯＶＳＦ符号集合を使用できる。各集合は、使用のため選ばれる伝送フォーマットに応じて、ＯＶＳＦ符号をいくつでも含むことができる。ストリーム間干渉を最小限に抑えるため、ノードＢ２１０は、使用可能ＯＶＳＦ符号の全てが割り当てられるまでは、異なるデータストリームに別々のＯＶＳＦ符号を割り当てることができる。所要総ＯＶＳＦ符号数が使用可能ＯＶＳＦ符号数に等しいか又はこれを下回る場合には、Ｓ個のデータストリームに対しＯＶＳＦ符号のＳ個の互いに素な集合を使用でき、ストリーム間干渉を回避することができる。ノードＢ２１０は、より多くのＯＶＳＦ符号が必要になると使用可能ＯＶＳＦ符号を再使用できる。符号再使用度が低いほど、ストリーム間干渉を抑えて性能を上げることができる。
【００７４】
ＵＥ２５０は通常、次のスケジューリング間隔の符号割り当て又はノードＢ２１０によって選択される伝送フォーマットについて情報を得ない。そこでＵＥ２５０は、等式（８）に示すとおり、データストリームの各々に全てのＯＶＳＦ符号が使われるという仮定に基づいて、ＣＱＩ値を導き出すことができる。データストリームがＯＶＳＦ符号の互いに素な集合を使用する場合、等式（８）のストリーム間干渉項は逆拡散後に消え、各データストリームにつきより高いＣＱＩ値を得ることができる。
【００７５】
ＵＥ２５０は、次のスケジューリング間隔の符号割り当てと電力分配について情報を得る場合に、より正確な干渉／ノイズ共分散行列を次のとおりに生成でき、
【数１５】
2011142655.tif 000018
【００７６】
ここで、（Ｅｃｔ）ｊ，ｌはデータストリームｉに使われるＯＶＳＦ符号ｌのチップエネルギーであり、
Ｉ（ｌはＣｊに含まれる）はデータストリームｊの指数関数であり、
Ｌは使用できるＯＶＳＦ符号の数であり、例えばＨＳＤＰＡでＬ＝１５であり、
【数１６】
2011142655.tif 000019
【００７７】
はデータストリームｉの改善された干渉／ノイズ共分散行列である。
【００７８】
指数関数は次のとおりに定義でき、
【数１７】
2011142655.tif 000020
【００７９】
ここで、Ｃｊは、対象となるスケジューリング間隔でデータストリームｊに使われるＯＶＳＦ符号の集合である。指数関数は、データストリームｊに使われる全ＯＶＳＦ符号で１に設定され、残りのＯＶＳＦ符号で０に設定される。
【００８０】
各データストリームの送信電力が、そのデータストリームに使われる全ＯＶＳＦ符号にわたって均一に分配される場合、各ＯＶＳＦ符号の送信電力は次のとおりに表すことができ、
【数１８】
2011142655.tif 000021
【００８１】
ここで、Ｌｊはデータストリームｊに使われるＯＶＳＦ符号の数である。
【００８２】
等式（１１）で、データストリームｉの共分散行列Ψ〜ｉは、データストリームｉのＯＶＳＦ符号と共通の（又は再使用される）ＯＶＳＦ符号の場合に限り、他のデータストリームからの干渉を含む。さらに、各データストリームの各ＯＶＳＦ符号からの干渉は、そのＯＶＳＦ符号に使われる送信電力（Ｅｃｔ）ｉ、ｌによって増減される。よって、等式（１１）の干渉推定は等式（８）の干渉推定より正確である。共分散行列Ψ〜ｉは、データストリームｉのＯＶＳＦ符号に対し非直交である他のＯＶＳＦ符号（これが存在する場合）からの干渉を含めて導き出すこともできる。さらに、ＣＤＭＡシステムにおける逆拡散効果をあらかじめ考慮に入れて共分散行列を導き出すこともでき、この場合、所望の信号成分と同じ符号を使用するストリーム間干渉成分は、バックグラウンドノイズ又はマルチパス干渉成分に対しＳＦの逆拡散エネルギー利得を得る。
【００８３】
ここで、各データストリームｉの検出サンプルのＳＮＲは次のとおりに表すことができる。
【数１９】
2011142655.tif 000022
【００８４】
ＵＥ２５０は通常、各データストリームの符号再使用度又は符号割り当てについて情報を得ない。この情報は、ノードＢ２１０がＳ個のデータストリームの伝送フォーマットを選択し、各データストリームに１組のＯＶＳＦ符号を割り当てるまでは入手できない。符号再使用度は、例えば形状が大きく遅延が短い拡散のシナリオで、ＳＮＲ推定に大きく影響する。よって報告ＣＱＩ値に基づいて選択される伝送フォーマットは、次のスケジューリング間隔でデータストリームによって観測される実際のチャネル品質と、十分に整合しないことがある。
【００８５】
所与の符号再使用度で報告ＣＱＩ値（データストリームの各々に使用可能ＯＶＳＦ符号を完全に再使用すると仮定）と実際のＳＮＲとの食い違いを計上するため、再使用補正率を使用することができる。一実施形態において、ノードＢ２１０は次のとおりに報告ＣＱＩ値に基づき修正ＣＱＩ値を導き出し、
【数２０】
2011142655.tif 000023
【００８６】
ここで、（Ｒｅｕｓｅ＿ｃｏｒｒｅｃｔｉｏｎ＿ｆａｃｔｏｒ）ｉはデータストリームｉの再使用補正率であり、
（修正ＣＱＩ値）ｉはデータストリームｉの修正ＣＱＩ値である。
【００８７】
一般的に、再使用補正率は、１つ以上の関係パラメータからなる任意の集合の任意の関数に基づき判定できる。ノードＢ２１０にはこれらのパラメータを用意しなければならない。報告ＣＱＩ値は、このようなパラメータのひとつである。このほかに、各データストリームｉによって観測される干渉もこのようなパラメータであり、これは次のとおりに推定でき、
【数２１】
2011142655.tif 000024
【００８８】
ここで、（干渉）ｉはデータストリームｉの干渉推定である。等式（１６）では、データストリームｉのＯＶＳＦ符号と同じ、他のデータストリームストリームのＯＶＳＦ符号の積算電力に基づいて、干渉を推定する。数量はどれもノードＢで入手可能であるから、ノードＢ２１０は等式（１６）で干渉推定を導き出すことができる。
【００８９】
一実施形態において、各データストリームｉの再使用補正率は、干渉推定の関数ｆと、データストリームｉの報告ＣＱＩ値と、場合によっては他のパラメータとに基づき、次のとおりに定義される。
【数２２】
2011142655.tif 000025
【００９０】
関数ｆは、コンピュータシミュレーション、実験的測定、その他に基づき判定できる。関数ｆはルックアップテーブルに格納することもでき、同ルックアップテーブルには、しかるべき入力によってインデックスを付すことができる。
【００９１】
別の実施形態においては、データストリームｉの干渉推定の関数ｇに基づき、各データストリームｉの符号再使用度が次のとおりに判定され、
【数２３】
2011142655.tif 000026
【００９２】
ここで、（Ｄｅｇｒｅｅ＿ｃｏｄｅ＿ｒｅｕｓｅ）ｉはデータストリームｉの符号再使用度である。関数ｇは干渉の単調関数であり、コンピュータシミュレーション、実験的測定、その他に基づき判定できる。
【００９３】
そして、データストリームｉの符号再使用度に基づき、各データストリームｉの再使用補正率を判定できる。一実施形態においては、次のとおり、再使用補正率は、もしも符号再使用度が閾値を下回るならオフセット値Δに設定され、さもなければゼロに設定される。
【数２４】
2011142655.tif 000027
【００９４】
別の実施形態においては、比較のため複数の閾値と複数のオフセット値を使用する。符号再使用度は閾値に比較され、比較の結果に基づきオフセット値のうち１つに再使用補正率が設定される。
【００９５】
さらに別の実施形態においては、所望の性能水準を、例えば１％の目標ＰＥＲを達成するため、等式（１９）の閾値及び／又はオフセット値が閉ループ機構によって調整される。オフセット値Δは、符号再使用度が閾値より小さいパケットのＡＣＫ／ＮＡＣＫ報告に基づいて調整できる。符号再使用度が閾値を上回るかこれに等しい全てのパケット又はパケットのＡＣＫ／ＮＡＣＫ報告に基づいて、Ｎｏｄｅ＿Ｂ＿ｏｆｆｓｅｔを適応的に調整することもできる。
【００９６】
上の説明では、等式（８）に示すとおり、全てのデータストリームで使用可能ＯＶＳＦ符号が完全に再使用される状況で、ＵＥ２５０がＣＱＩ値を導き出すと仮定している。これは悲観的な報告ＣＱＩ値に帰結する。ここでノードＢ２１０は、悲観的な報告ＣＱＩ値を計上するため非負の再使用補正率を使用できる。
【００９７】
ＵＥ２５０は、全てのデータストリームで使用可能ＯＶＳＦ符号の再使用がないと仮定し、例えば等式（８）の総和項を省いて、ＣＱＩ値を導き出すことができる。これは楽観的な報告ＣＱＩ値に帰結する。この場合、ノードＢ２１０は楽観的報告ＣＱＩ値を計上するため非正の再使用補正率を使用できる。所与のスケジューリング間隔にてデータストリームの中でＯＶＳＦ符号の再使用がない場合、非正の再使用補正率は０ｄＢの最大値に設定できる。符号再使用度が増すにつれ、ノードＢ２１０はより大きい負の再使用補正率を用いて、より大きいバックオフを加えることができる。あるいはまた、たとえＵＥ２５０が符号再使用を仮定しない場合でも再使用補正率が非負の関数となるよう、Ｎｏｄｅ＿Ｂ＿ｏｆｆｓｅｔを設計又は適合することができる。
【００９８】
上の説明で、干渉推定はデータストリームの初期符号割り当てに基づいて導き出される。この初期符号割り当ては、最後のスケジューリング間隔で使われた符合割り当て、符号再使用を考慮せずに選択された伝送フォーマットに基づく符号割り当て、その他であってよい。干渉推定を用いてデータストリームの伝送フォーマットが選択され、選択された伝送フォーマットに基づき新しい符号割り当てが得られる。新しい符号割り当てが初期符号割り当てと異なる場合、前に導き出された干渉推定は正確でない可能性がある。一般的に、干渉推定と伝送フォーマット選択と符号割り当てとは、所望の精度が得られるまで何度でも繰り返し遂行でき、例えば、繰り返しが始まるときの符号割り当てが、繰り返しが終わるときの符号割り当てと同じになるまで、遂行できる。
【００９９】
図３は、図２の伝送フォーマット選択器２４０の一実施形態のブロック図を示す。選択器２４０の中で、干渉推定器３１０はデータストリームの初期符号割り当てと送信電力とを受信し、例えば等式（１６）に示すとおり、これらのデータストリームの干渉推定を導き出す。演算ユニット３２０は、例えば等式（１８）及び（１９）に示すとおり、各データストリームｉの再使用補正率を、そのストリームの干渉推定に基づき、導き出すことができる。演算ユニット３２０はまた、例えば等式（１７）に示すとおり、干渉推定、報告ＣＱＩ値、及び／又はその他情報に基づき、Ｓ個のデータストリームの再使用補正率を導き出すことができる。
【０１００】
ＣＱＩ計算ユニット３３０は、例えば等式（１５）に示すとおり、報告ＣＱＩ値、再使用補正率、及びデータストリームの電力オフセットとＮｏｄｅ＿Ｂ＿ｏｆｆｓｅｔに基づき、修正ＣＱＩ値を導き出すことができる。ＣＱＩマッピングテーブル２４２はデータストリームの修正ＣＱＩ値を受信し、これらのストリームの伝送フォーマットを提供する。符号割り当てユニット３４０は、各データストリームに割り当てるＯＶＳＦ符号の数をこれの伝送フォーマットに基づき判定し、１つ以上のＯＶＳＦ符号からなる集合を各データストリームに割り当てる。新しい符号割り当てが初期符号割り当てに一致しない場合には、干渉推定と、伝送フォーマット選択と、符号割り当てとを繰り返し遂行することができる。繰り返しの後、ユニット３４０はＭＣＳと各データストリームの割り当てＯＶＳＦ符号を提供する。
【０１０１】
一実施形態においては、上述したとおり、各データストリームにつき干渉推定と、符号再使用度と、再使用補正率とが導き出される。別の実施形態においては、データストリームがほぼ同じ干渉を観測するよう送信され、この場合は、全Ｓ個のデータストリームについて、ひとつの符号再使用度とひとつの再使用補正率とを導き出せばよい。例えばデータストリームには、所定又は擬似ランダム置換に基づき時間に沿って変化するＯＶＳＦ符号を割り当てることができる。符号割り当てはシンボル期間毎に、又はフレーム内の複数のシンボル間隔毎に、変化でき、全てのデータストリームがほぼ同等の符号再使用度を有しほぼ同等の干渉を観測するようにできる。
【０１０２】
別の実施形態において、データストリームは、それらがほぼ同等の受信信号品質とほぼ同等のリソース再使用度とを観測するよう送信される。各データストリームは、所定又は擬似ランダム置換に基づき、例えば各データストリームを全Ｔ個の送信アンテナにマップする正規直交行列を用いて、全Ｔ個の送信アンテナから送信できる。データストリームはまた、上述したとおり、それらがほぼ同等の符号再使用度とほぼ同等の干渉とを観測するよう送信できる。この場合は全データストリームに共通の伝送フォーマットを使用でき、ＣＱＩ報告のための信号伝達と選択された伝送フォーマットのための信号伝達の両方を減らすことができる。各データストリームにつき別々の制御チャネルを使用する代わりに、全データストリームにただひとつの制御チャネル（例えば共通のＨＳ−ＳＣＣＨ）を使用できる。
【０１０３】
別の実施形態においては、各データストリームに、そのストリームによって観測される符号再使用度に基づき、電力オフセットが適用される。各データストリームの電力オフセットは、データストリームによって観測される干渉の関数としてよく、例えばより多くの干渉にはより大きい電力オフセットを使用でき、その逆もまた同様である。ノードＢ２１０は、再使用補正率を使用せず通常どおりに各データストリームの伝送フォーマットを選択できる。そしてノードＢ２１０は、各データストリームの送信電力を、そのストリームの電力オフセットに基づき、調整できる。
【０１０４】
さらに別の実施形態においては、１つ以上のシステム目標に基づいてコード割り当てが遂行される。ノードＢ２１０は、再使用補正率を使用せず通常どおりに各データストリームの伝送フォーマットを選択できる。そしてノードＢ２１０は、データレートが高い（又はＣＱＩ値が大きい）データストリームの符号再使用度ができるだけ低くなるよう、ＯＶＳＦ符号を割り当てることができる。これにより高速データストリームで伝送エラーの見込みを抑えることができ、これは、高速データストリームで伝送エラーが生じると大量のデータを再送する必要があるため、望ましい。データレートが低いデータストリームはより高い符号再使用度を観測してよく、これは、低速ストリームで伝送エラーが生じた場合に再送されるデータは少量ですむため、許容される。スループット、ＱｏＳ要求、優先課題等、システム目標の違いに応じて、異なる符号割り当て方式を定めることができる。
【０１０５】
明瞭を図るため、これまではＯＶＳＦ符号を再使用の対象となるリソースとして、伝送フォーマット選択手法を具体的に説明してきた。これらの手法はタイプの異なるリソースにも応用できる。例えばＭＩＭＯ  ＯＦＤＭシステム、ＭＩＭＯ  ＯＦＤＭＡシステム、及びＭＩＭＯ  ＳＣ−ＦＤＭＡシステムにこの手法を役立てることができ、ここではサブキャリアが再使用されるリソースにあたる。ＵＥは、様々なデータストリームのＣＱＩ値を受信パイロットに基づき導き出すことができる。ＵＥは、次のスケジューリング間隔におけるサブキャリア再使用について情報を得ないため、データストリームのため全てのサブキャリアが再使用される（又はされない）と仮定しＣＱＩ値を導き出すことができる。ノードＢは、次のスケジューリング間隔でサブキャリアの一部だけを再使用できる。例えば、各データストリームにつきパワーウォーターフィリングを遂行でき、信号品質が良好なサブキャリアだけを伝送に使用できる。観察されるサブキャリア再使用度がデータストリームによって異なる場合、ノードＢは各データストリームの伝送フォーマットを、そのストリームのサブキャリア再使用度を勘案しながら、選択することができる。
【０１０６】
本明細書で説明する手法はより正確な伝送フォーマット選択をもたらすことができ、したがってデータは無線チャネルのキャパシティに近いレートで送信できる。本手法はシステムのスループットを改善でき、残留パケットエラー率を目標エラー率近くに保つことができ、及び／又はその他の利益を提供できる。
【０１０７】
図４は、ＭＩＭＯ伝送のため伝送フォーマットを選択するプロセス４００の一実施形態を示す。複数のアンテナから送信される複数のデータストリームのリソース再使用度に基づき、少なくとも１つの補正率を判定する（ブロック４１０）。各データストリームのリソース再使用度は、そのストリームによって観測されるリソースの再使用量を示す。データストリームのリソース再使用度は、データストリームが送信される様態とリソース割り当てとに応じて同じ場合と異なる場合とがある。少なくとも１つの補正率を用いて、複数のデータストリームのため少なくとも１つの伝送フォーマットを選択する（ブロック４２０）。各データストリームには、そのストリームに使用するリソースの量を指示する伝送フォーマットが関連づけられる。伝送フォーマットはまた、符号化及び変調方式、ブロックサイズ等、その他のパラメータを指示することもある。各データストリームには、データストリームの伝送フォーマットに従って総使用可能リソースの中からリソースが割り当てられる（ブロック４３０）。使用可能リソースは、直交符号、サブキャリア、その他であってよい。ブロック４１０における補正率を判定することと、ブロック４２０における伝送フォーマットを選択することとは、必要に応じ繰り返し遂行できる（ブロック４４０）。このさらなる繰り返しは、ブロック４３０における新しいリソース割り当てが、ブロック４１０で補正率の判定に用いた初期リソース割り当てと異なる場合に、遂行してよい。
【０１０８】
図５は、図４のブロック４１０及び４２０の一実施形態を示す。ブロック４１０では、複数のデータストリームの初期リソース割り当てに基づき、複数のデータストリームの干渉推定を導き出す（ブロック５１０）。この干渉推定に基づき複数のデータストリームのリソース再使用度を判定する（ブロック５１２）。複数のデータストリームのリソース再使用度に基づき、少なくとも１つの補正率を判定する（ブロック５１４）。
【０１０９】
ブロック４２０では、複数のデータストリームについて少なくとも１つの初期／報告ＣＱＩ値を入手する（ブロック５２０）。初期ＣＱＩ値は、データストリームのリソース再使用度を等しい（例えば最高又は最低）とする仮定に基づいて導き出すことができる。少なくとも１つの初期ＣＱＩ値と少なくとも１つの補正率とに基づき、少なくとも１つの修正ＣＱＩ値を導き出す（ブロック５２２）。そして、少なくとも１つの修正ＣＱＩ値に基づき、少なくとも１つの伝送フォーマットを選択する（ブロック５２４）。
【０１１０】
ストリームごとの個別伝送フォーマット選択の場合には、各データストリームにつき干渉推定と、補正率と、初期ＣＱＩ値と、修正ＣＱＩ値と、伝送フォーマットとを得ることができる。あるいは、例えば全てのデータストリームがほぼ同等のチャネル状態とリソース再使用度とを観測するよう送信される場合には、全データストリームに共通の干渉推定と、共通の補正率と、共通の初期ＣＱＩ値と、共通の修正ＣＱＩ値と、共通の伝送フォーマットとを得ることができる。
【０１１１】
図６は、ＭＩＭＯシステムでデータを送信するプロセス６００の一実施形態を示す。初期リソース割り当てに基づき、複数のデータストリームの干渉推定を導き出す（ブロック６１０）。複数のデータストリームは複数のアンテナから同時に送信され、干渉推定はストリーム間干渉のものである。干渉推定に基づき複数のデータストリームの少なくとも１つのパラメータを制御する（ブロック６２０）。ブロック６２０は、（１）干渉推定に基づき、複数のデータストリームのため少なくとも１つの伝送フォーマットを選択すること、（２）干渉推定に基づき複数のデータストリームの送信電力を調整すること、（３）干渉推定に基づき複数のデータストリームにリソース（例えば直交符号又はサブキャリア）を割り当てること、及び／又は（４）他の何らかのパラメータを制御すること、をともなうことがある。
【０１１２】
図７は、ＭＩＭＯシステム７００にて基地局７１０と端末７５０の一実施形態のブロック図を示す。ダウンリンク伝送の場合、基地局７１０側のＴＸデータプロセッサ７２０と、変調器７２２と、ＴＸ  ＭＩＭＯプロセッサ７２４と、送信器７２６ａ〜７２６ｔとは、例えば図２のノードＢ２１０について上述したとおり、複数のデータストリーム、パイロット、及び信号伝達のためトラフィックデータを処理する。変調器７２２は、ＣＤＭＡ、ＯＦＤＭＡ、ＳＣ−ＦＤＭＡ、及び／又は他の何らかの多重化方式の処理を遂行できる。データストリームへ分配されるリソースは、使用のため選択される多重化方式に応じて、直交符号、サブキャリア、及び／又は他の何らかのリソースであってよい。端末７５０側の受信器７４５ａ〜７５４ｒと、ＭＩＭＯ検出器７５６と、復調器７６０と、ＲＸデータプロセッサ７６２とは、例えば図２のＵＥ２５０について上述したとおり、基地局７１０によって送信された信号を処理する。復調器７６０は、変調器７２２によって遂行される処理に対し相補的な処理を遂行する。
【０１１３】
アップリンク伝送の場合、端末７５０側のＴＸデータプロセッサ７７０と、変調器７７２と、ＴＸ  ＭＩＭＯプロセッサ７７４と、送信器７５４ａ〜７５４ｒとは、１つ以上のデータストリーム、パイロット、及び信号伝達（例えばＣＱＩ報告）のためトラフィックデータを処理する。基地局７１０側の受信器７２６ａ〜７２６ｔと、ＭＩＭＯ検出器７３０と、復調器７３２と、ＲＸデータプロセッサ７３４とは、端末７５０によって送信された信号を処理する。
【０１１４】
ダウンリンク伝送のための伝送フォーマット選択の場合、端末７５０側のチャネル推定器／プロセッサ７８０はダウンリンク信号品質を推定でき、ＣＱＩ報告を生成できる。基地局７１０は端末７５０からＣＱＩ報告を受信でき、端末７５０へ送信されるデータストリームの伝送フォーマットを選択できる。アップリンク伝送のための伝送フォーマット選択の場合、基地局７１０側のチャネル推定器／プロセッサ７４４はアップリンク信号品質を推定でき、ＣＱＩ報告を生成できる。基地局７１０は、端末７１０によって送信されるデータストリームの伝送フォーマットを選択できる。
【０１１５】
コントローラ／プロセッサ７４０及び７９０は、それぞれ基地局７１０と端末７５０とにおいてオペレーションを制御する。メモリ７４２及び７９２は、それぞれ基地局７１０と端末７５０とのためデータとプログラムコードとを格納する。コントローラ／プロセッサ７４０は、図３の伝送フォーマット選択器２４０、図４及び６のプロセス４００及び６００、及び／又は他の伝送フォーマット選択プロセスを実装できる。
【０１１６】
当業者は、様々な技術及び手法のいずれかを用いて情報と信号を表現できることを理解するであろう。例えば、上の説明の全体を通じて言及され得るデータ、命令、コマンド、情報、信号、ビット、シンボル、及びチップは、電圧、電流、電磁波、磁場又は磁性粒子、光場又は光粒子、又はこれらの任意の組み合わせによって表現できる。
【０１１７】
当業者はさらに、本明細書に開示する実施形態との関係で説明した様々な例証的論理ブロック、モジュール、回路、及びアルゴリズムステップを、電子ハードウェア、コンピュータソフトウェア、又は両方の組み合わせとして実装できることを認めるであろう。このハードウェア及びソフトウェアの互換性を明確に例証するため、様々な例証的コンポーネント、ブロック、モジュール、回路、及びステップを、概してそれらの機能の点で、上述した。このような機能をハードウェア又はソフトウェアとして実装するか否かは、特定のアプリケーションとシステム全体にかかる設計制約次第で決まる。当業者は、特定のアプリケーションのため説明した機能を様々な形で実装してよいが、このような実装決定は、本発明の範囲からの逸脱をもたらすものと解釈されるべきではない。
【０１１８】
本明細書に開示する実施形態との関係で説明した様々な例証的論理ブロック、モジュール、及び回路は、本明細書で説明した機能を遂行するよう設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他プログラマブル論理素子、個別ゲート又はトランジスタロジック、個別ハードウェアコンポーネント、又はこれらの任意の組み合わせにより実装又は遂行できる。汎用プロセッサはマイクロプロセッサであってよく、ただし代案において、プロセッサは任意の従来のプロセッサ、コントローラ、マイクロコントローラ、又は状態機械であってよい。プロセッサはまた、演算装置の組み合わせとして、例えばＤＳＰとマイクロプロセッサとの組み合わせ、複数のマイクロプロセッサ、ＤＳＰコアと連動する１つ以上のマイクロプロセッサ、又は他の何らかのこのような構成として、実装できる。
【０１１９】
本明細書に開示する実施形態との関係で説明した方法又はアルゴリズムのステップは、ハードウェアにて直接的に、プロセッサによって実行されるソフトウェアモジュールにて、又は双方の組み合わせにて、具現できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野で公知の他の何らかの形をとる記憶媒体の中にあってよい。例示的な記憶媒体はプロセッサへ結合され、したがってプロセッサは記憶媒体から情報を読み取ることができ、且つこれへ情報を書き込むことができる。代案において、記憶媒体はプロセッサに一体化されてよい。プロセッサと記憶媒体はＡＳＩＣの中にあってよい。ＡＳＩＣはユーザ端末の中にあってよい。代案において、プロセッサと記憶媒体は個別コンポーネントとしてユーザ端末の中にあってよい。
【０１２０】
開示された実施形態の先の説明は、当業者が本発明を製作すること、又は使用することを可能にするため提供されている。これらの実施形態に対する様々な修正は当業者にとって容易に明白となるであろうし、本明細書に定める一般原理は、本発明の精神又は範囲から逸脱せずに他の実施形態に応用できる。よって本発明は本明細書に紹介された実施形態に限定されることを意図せず、本明細書に開示された原理と新規の特徴とに一致する最も広い範囲が認められるべきものである。
【図１】
2011142655.tif 000028
【図２】
2011142655.tif 000029
【図３】
2011142655.tif 000030
【図４】
2011142655.tif 000031
【図５】
2011142655.tif 000032
【図６】
2011142655.tif 000033
【図７】
2011142655.tif 000034
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
初期リソース割り当てに基づき複数のデータストリームの干渉推定を導き出すべく、且つ前記干渉推定に基づき前記複数のデータストリームの少なくとも１つのパラメータを制御するべく構成された、少なくとも１つのプロセッサであって、前記複数のデータストリームは複数のアンテナから同時に送信され、且つ前記干渉推定はストリーム間干渉のものである、プロセッサと、
前記少なくとも１つのプロセッサへ結合されたメモリと、
を備える、装置。
【請求項２】
前記少なくとも１つのプロセッサは、前記干渉推定に基づき、前記複数のデータストリームのため少なくとも１つの伝送フォーマットを選択する、請求項１に記載の装置。
【請求項３】
前記少なくとも１つのプロセッサは、前記干渉推定に基づき前記複数のデータストリームの送信電力を調整する、請求項１に記載の装置。
【請求項４】
前記少なくとも１つのプロセッサは、前記干渉推定に基づき前記複数のデータストリームのリソースを割り当てる、請求項１に記載の装置。
【請求項５】
前記少なくとも１つのプロセッサは、前記干渉推定に基づき前記複数のデータストリームの各々に少なくとも１つの直交符号からなる集合を割り当てる、請求項１に記載の装置。
【請求項６】
初期リソース割り当てに基づき複数のデータストリームの干渉推定を導き出すことであって、前記複数のデータストリームは複数のアンテナから同時に送信され、且つ前記干渉推定はストリーム間干渉のものであることと、
前記干渉推定に基づき、前記複数のデータストリームの少なくとも１つのパラメータを制御することと、
を備える、方法。
【請求項７】
前記少なくとも１つのパラメータを前記制御することは、前記干渉推定に基づき前記複数のデータストリームのため少なくとも１つの伝送フォーマットを選択することを備える、請求項６に記載の方法。
【請求項８】
前記少なくとも１つのパラメータを前記制御することは、前記干渉推定に基づき前記複数のデータストリームの送信電力を調整することを備える、請求項６に記載の方法。
【請求項９】
前記少なくとも１つのパラメータを前記制御することは、前記干渉推定に基づき前記複数のデータストリームのリソースを割り当てることを備える、請求項６に記載の方法。
【請求項１０】
初期リソース割り当てに基づき複数のデータストリームの干渉推定を導き出す手段であって、前記複数のデータストリームは複数のアンテナから同時に送信され、且つ前記干渉推定はストリーム間干渉のものである、手段と、
前記干渉推定に基づき、前記複数のデータストリームの少なくとも１つのパラメータを制御する手段と、
を備える、装置。
【請求項１１】
前記少なくとも１つのパラメータを制御する前記手段は、前記干渉推定に基づき前記複数のデータストリームのため少なくとも１つの伝送フォーマットを選択する手段を備える、請求項１０に記載の装置。
【請求項１２】
前記少なくとも１つのパラメータを制御する前記手段は、前記干渉推定に基づき前記複数のデータストリームの送信電力を調整する手段を備える、請求項１０に記載の装置。
【請求項１３】
前記少なくとも１つのパラメータを制御する前記手段は、前記干渉推定に基づき前記複数のデータストリームのリソースを割り当てる手段を備える、請求項１０に記載の装置。
【請求項１４】
初期リソース割り当てに基づき複数のデータストリームの干渉推定を導き出すべく、ここで前記複数のデータストリームは複数のアンテナから同時に送信され、且つ前記干渉推定はストリーム間干渉のものである、且つ、
前記干渉推定に基づき前記複数のデータストリームの少なくとも１つのパラメータを制御するべく、作動できる命令を格納する、プロセッサ読取り可能媒体。
【請求項１５】
前記干渉推定に基づき、前記複数のデータストリームのため少なくとも１つの伝送フォーマットを選択するべく作動できる命令をさらに格納する、請求項１４に記載のプロセッサ読取り可能媒体。
【請求項１６】
前記干渉推定に基づき前記複数のデータストリームの送信電力を調整するべく作動できる命令をさらに格納する、請求項１４に記載のプロセッサ読取り可能媒体。
【請求項１７】
前記干渉推定に基づき前記複数のデータストリームのリソースを割り当てるべく作動できる命令をさらに格納する、請求項１４に記載のプロセッサ読取り可能媒体。
【外国語明細書】
2011142655000001.pdf